【手続補正書】
【提出日】平成18年9月22日(2006.9.22)
【手続補正１】
【補正対象書類名】明細書
【補正対象項目名】全文
【補正方法】変更
【補正の内容】
【書類名】              明細書
【発明の名称】          フロッピーディスク装置
【特許請求の範囲】
【請求項１】  記録及び再生を行うためのヘッドをそれぞれに搭載したアーム及びキャリッジとからなり、アーム及びキャリッジをヘッドが対向するようにして開閉可能に、かつ、ヘッド同士が近接する閉じ方向へ付勢する構成であるヘッドブロックと、前記アームに係合して前記ディスクの挿入／排出状態である第１の状態のとき、前記アームを持ち上げ、ディスクの記録／再生状態である第２の状態のときに前記アームの持ち上げ動作を解除するリフト装置と、このリフト装置を駆動するための駆動機構とディスクカートリッジを保持するキャリア及びキャリアを保持するスライドフレームとを有するフロッピーディスク装置において、
前記リフト装置は、前記キャリアに搭載されると共にスライドフレームの動きに合わせて前記ヘッドブロックに対して進退移動する摺動部材を有し、摺動部材は、前記第１の状態のとき、その先端部がヘッドブロックのアームとキャリッジとの間に進出した位置となってアームを持ち上げ、これによりキャリッジ側のヘッドに対してアーム側のヘッドを離隔して維持し、前記第２の状態のときヘッドブロックのアームとキャリッジとの間から退出した位置となることを特徴とするフロッピーディスク装置。
【請求項２】  前記駆動機構は、摺動部材の進退移動をキャリアに対するスライドフレームの動きに連動させる連動機構としてあることを特徴とする請求項２に記載のフロッピーディスク装置。
【請求項３】  前記の連動機構は、キャリアに軸支されたレバー部材を有し、レバー部材の第１端部を摺動部材と係合し、レバー部材の第２端部をスライドフレームに係合することにより、摺動部材の進退移動をキャリアに対するスライドフレームの動きに連動させてあることを特徴とした請求項３に記載のフロッピーディスク装置。
【請求項４】  キャリアとスライドフレームはフロッピーディスク装置の本体フレームに組み付けてあり、スライドフレームを本体フレームに対して前後に移動するとキャリアが本体フレームに対して上下方向へ移動する機構であって、レバー部材の第２の端部がスライドフレームの側壁に設けた上下方向に長い長孔に係合していることを特徴とした請求項４に記載のフロッピーディスク装置。
【請求項５】  レバー部材の第２の端部が係合する、スライドフレームに設けた長孔の下側壁部を絞り加工により外側に曲げて突出部としてあることを特徴とした請求項５に記載のフロッピーディスク装置。
【発明の詳細な説明】
【０００１】
【発明の属する技術分野】
この発明は、ディスクに対して情報の記録及び再生を行うヘッドの保護機構を備えたフロッピーディスク装置に関する。
【０００２】
【従来の技術】
フロッピーディスク装置では、ディスクカートリッジを差し込んでセットすると、フロッピーディスク装置内部でディスクカートリッジのシャッターが開けられて内部のディスクが一部露出し、ここに上下ヘッドが接触して、ディスクに対して情報の記録及び再生を行う。上下のヘッドは情報の記録再生時にはこれらをディスクの両面に接触し、その他の場合は離隔している。すなわち、上下のヘッドはディスクカートリッジが挿入されてディスクがセットされるまでは離隔されており、ディスクがセットされると近接してディスクに接触する。この場合、ヘッドの多くはセラミック材を用いているので、ディスクがセットされていない離隔状態にあるとき、振動や衝撃で上下のヘッドが強く接触するとヘッドが欠けたりして損傷する。このため、ディスクカートリッジが抜き取られているなど上下のヘッドが離隔しているときはその状態を維持して振動や衝撃などで衝突しないようにし、ディスクカートリッジが差し込まれてディスクがセットされると、この維持状態を解除するいわゆるリフト装置を必要とする。
このようなリフト装置は、従来、種々のものが提案されているが、構造が複雑であったり、振動や衝撃に弱い構造であったりする。構造が複雑であると、それ自体で耐衝撃性が低くなるし、コンパクトにまとめることが困難で、フロッピーディスク装置をより薄く、より小形とする要求に応えにくい。
【０００３】
特開平９−１７１３７号公報のリフト装置は、カートリッジホルダー（３）（符号は同公報のもの）の上面に設けたリフター（５１）を上磁気ヘッド（２１）を有する上キャリッジ（４１）に係合しておき、ディスクカートリッジ（９）の抜き差しに伴うカートリッジホルダー（３）の上下移動によってリフター（５１）が上下に回動するようにした構造である。そして、衝撃防止装置は、振動や衝撃を受けても上磁気ヘッド（２１）を下磁気ヘッドから離隔して支えているリフター（５１）が下降しないように、まず、シャッターレバー（１２）の延長部（１２２）をリフター（５１）の下面側に差し込み、さらに、シャッターレバー（１２）やリフター（５１）を取り付けているカートリッジホルダー（３）が沈み込まないようにホルダーガード（７）を設けている。ホルダーガード（７）は、バネ性の部材でディスクカートリッジ（９）が差し込まれると、押されて変位し、カートリッジホルダー（３）の下降を許容するが、ディスクカートリッジ（９）が装着されていないと弾性でもとの位置に戻り、受け部（７８）がカートリッジホルダー（３）の下降を阻止する。
【０００４】
この構造は、リフト装置をカートリッジホルダー（３）の上面に設け、ディスクカートリッジ（９）の抜き差しに伴うカートリッジホルダー（３）の上下移動によってリフター（５１）を上下に回動するのでリフト装置の駆動装置を別個に設ける必要がない点で優れるが、カートリッジホルダー（３）の上下移動は、製造や組立時の影響で、僅かではあるが個々に異なるので、組立の最終段階に微調整を必要とする。実際にこの公報の実施形態においても、リフター（５１）の上下移動範囲を調整するための調節ネジ（５１２）（公報の図４）を設けている。
しかし、前記のように、バネ性の部材でカートリッジホルダー（３）の下降を阻止すると、振動や衝撃によって阻止状態が外れやすく、また、組立の最終段階における調節ネジによる微調整の作業は精密作業であり、煩雑である。
【０００５】
【発明が解決しようとする課題】
この発明は、振動や衝撃に強く、頑丈で、構造の簡単なリフト装置を備えたフロッピーディスク装置の提供を課題とする。
【０００６】
【課題を解決するための手段】
フロッピーディスク装置において、ディスクに対して情報の記録及び再生を行うためのヘッドはヘッドブロックのアームとキャリッジに取り付けられ、アームとキャリッジは、ヘッドが対向するようにして開閉可能に、かつ、ヘッド同士が近接する閉じ方向へ付勢して構成される。
リフト装置は摺動部材を有し、これをヘッドブロックに対して進退移動させる構造とし、ディスクの挿入／排出状態である第１の状態のときは、摺動部材の先端部をヘッドブロックのアームとキャリッジ間に進出させて一方のヘッドを取り付けたアームを支持し、キャリッジに取り付けた他方のヘッドに対して離隔した状態に維持する。ディスクの記録／再生状態である第２の状態のときは、摺動部材がヘッドブロックのアームとキャリッジ間から退出した位置とされ、両側のヘッドが近接してディスクの両面に接触する。
【０００７】
リフト装置の摺動部材は、実際は、デルリン（商標名）など滑性に優れた素材を用いた平板であり、ヘッドブロックに対して直線的に進退移動する構造にすることが多い。進退移動のための駆動機構は種々の手段が考えられるが、ソレノイドの利用やディスクカートリッジを抜き差しする際の動きを利用したレバー・リンク機構の利用、あるいはスイッチ機構で駆動される小さなモーターを用いた持ち上げ機構などである。いずれの場合も、ディスクカートリッジの挿入によるディスクのセットとセットの解除に連動して進退が行われるように構成する。
摺動部材は進退運動でアームとキャリッジの間に差し込まれるので、進退方向の前後に多少の狂いがあってもアームを支持し、また、解除する機能に格別の支障は生じない。このため、微細な調節作業を必要としない。微細な調節作業がないので、振動や衝撃によって摺動部材の機能が損なわれることもない。
進退移動する摺動部材は、簡単な機構とすることができ、また、摺動部材自体を多少厚く、頑丈に作ることができるので、日常で起こりうる振動や衝撃が加わってもアームを支持した状態が解除されてしまうことはない。日常起こり得る振動や衝撃とは、不注意で手元から落としてしまうとか、移動の時にぶつけるなどのことであり、高いところから落としたり、故意に衝突させるなどは異常である。
【０００８】
ディスクカートリッジのセットとセットの解除に連動させる駆動機構は、ディスクカートリッジを保持するキャリアと、これに係合してキャリアをディスクの挿入／排出状態である第１の状態とディスクの記録／再生状態である第２の状態とに昇降動作させるスライドフレームとの相対的な移動を利用することがある。
この場合、リフト装置はキャリアに設けられていて、リフト装置とスライドアームとの間に前記の相対的な移動を利用する連動機構を設ける。
この構造であると、ディスクカートリッジをセットすることによるスライドフレームとキャリア間の相対移動でリフト装置が駆動されるので、ソレノイドやモーターなどの駆動源を別個に容易する必要がなく、フロッピーディスク装置の全体的な構成を簡素にすることができる。
【０００９】
リフト装置の連動機構を、キャリアに軸支されたレバー部材とすることがある。すなわち、レバー部材の第１端部を摺動部材と係合し、レバー部材の第２端部をスライドフレームに係合し、ディスクカートリッジの脱着でキャリアがスライドフレームに対して相対移動するとき、このレバー部材が回転し、この回転を摺動部材の進退運動に変える。構造としてもっとも簡素であり、かつ、摺動部材を確実に進退移動させることができる。
【００１０】
スライドフレームとキャリアを、フロッピーディスク装置が備えた本体フレームに組み付け、スライドフレームが後方向に移動すると、キャリアが本体フレームに対して上下に移動する構造とし、この相対的な移動構造をレバー部材の回転に利用して摺動部材を進退移動させることがある。この場合、摺動部材とレバー部材を備えたリフト装置はキャリアに取り付けてあるので、スライドフレームとキャリアの相対移動をレバーの回転として取り出すには、レバー部材の一端をスライドフレームに係合させることになるが、前記のように、キャリアがスライドフレームに対して上下方向に移動するので、その移動を許容するためにスライドフレームに対してレバー部材の一端は、スライドフレームに設けた上下方向の長孔に係合している。これにより、スライドフレームに対してリフト装置自体の下方移動を許容しながら、キャリアに対するスライドフレームの移動によってレバー部材の回転運動を支障なく取り出すことができる。
【００１１】
また、レバー部材の一端が係合する前記長孔の下側壁部を絞り加工により外側に曲げて突出部とすることがある。このようにすると、リフト装置を取り付けたキャリアをスライドフレームへ組み付けるとき、キャリアの周縁から張り出しているレバー部材の一端をスライドフレームの長孔へ係合しやすい。
【００１２】
【発明の実施の形態】
図１は、フロッピーディスク装置１とディスクカートリッジ２であり、フロッピーディスク装置１は全体を分解して示している。ディスクカートリッジ２は、前辺に左右方向へ移動が可能なシャッター２ａを備えると共に、内部にディスク３を回転自在に有している。
なお、本願の明細書において用いる前後、左右、上下の用語は、説明の都合で用いる相対的なものである。従って、例えば、上下は、実際では、左右あるいは逆（下上）になることがある。
フロッピーディスク装置１は、本体フレーム４、フロントパネル５、キャリア６、スライドフレーム７およびカバー体８を備える。本体フレーム４は、左右の側壁９，１０と前壁１１を立ち上げた長方形の容器形で後壁に相当するものはなく、この部分にフロントパネル５が装着される。フロントパネル５は、内側へ開く本体シャッターを有している。
【００１３】
本体フレーム４は、ディスク駆動モーター１２、ヘッド機構１３及び制御回路基板１４を備えている。
ヘッド機構１３（図２）は、ヘッドブロック１５とステッピングモーター１８を備える。ヘッドブロック１５は、上下に対向して配置されたアーム１６とキャリッジ１７を備え、アーム１６の先端部に上ヘッド１９が取り付けられ、キャリッジ１７の先端部に下ヘッド２０を取り付けてある。上ヘッド１９と下ヘッド２０は対向している。アーム１６は前端部をキャリッジ１７の前端部へ上下方向で回動自在に軸支し、バネ２１でアーム１６とキャリッジ１７の間隔を閉じる方向に付勢され、左側辺に支持片１６ａを側方へ突出させて一体に有している。
ヘッドブロック１５は本体フレーム４に対して前後方向へスライド可能に支持され、キャリッジ１７は、前記のようにアーム１６を軸支すると共に、前端部に突出させて設けたスクリュー係合部１７ａをステッピングモーター１８で駆動されるスクリューシャフト１８ａに螺合して取り付けてある。
ステッピングモーター１８は、制御回路基板１４の制御部によってヘッドブロック１５を前後に移動し所定位置に停止させる。
【００１４】
キャリア６（図３）は、左右の側壁をまず下方へ、ついで対向するように、つまり、内側へ、断面においてコ字形となるように折り曲げて箱形とした構造で、内側にディスクカートリッジ２を受け入れて保持することができる。キャリア６は、実質的な底壁と後壁がなくてこれらの部分は開放されており、上壁２２の前方中央に長方形のアクセス窓２３が形成されている。また、上壁２２の上面にはアクセス窓２３の左右両側に近接してリフト装置２４とシャッター開放装置２５を取り付けてある。
リフト装置２４は、摺動部材２６とレバー部材２７およびガイドカバー２８を備える。摺動部材２６（図２）は矩形をした比較的厚いポリアセタールの平板で右辺が片刃状に下方へ傾斜した誘導面２９となり、前辺に沿って左右方向の長孔３０を備え、左辺の膨出した位置に上方へ突出するピン３１を一体に有している。
【００１５】
レバー部材２７はクランク形であり、軸３２で屈曲部をキャリア６における上壁２２の上面に回動可能に取り付けてある。軸３２は、キャリア６の上壁２２へかしめつけて取り付けるが、上壁２２のその部分は絞り加工によって下面から上方へ浅い円形の凹部となっており、軸部の先端が上壁２２の下面から突出せず、進入してくるディスクカートリッジ２と衝突しない（図４の抜き出し断面図）。
レバー部材２７の第１端部は長孔３３を有していてこの部分を摺動部材２６のピン３１に係合しており、第２端部は両側を折り曲げて重ねた係合部３４に形成してある。この係合部３４はレバー部材２７に許容された回動範囲では、常時、キャリア６の左側辺から突出している。
摺動部材２６は、前辺と後辺がキャリア６の上壁２２から上方へ切り起こしたガイド片２２ａ（図３）によって案内される。
【００１６】
リフト装置２４は、キャリア６の上壁２２上に摺動部材２６を平らに置き、ガイド片２２ａに左右方向の移動を案内させる。一方、上壁２２の軸３２にレバー部材２７を水平回動自在に取り付けて、レバー部材２７における第１端部の長孔３３を摺動部材２６に設けてあるピン３１に係合する。ついで、摺動部材２６の上からカバー２８をビス３５でキャリア６に形成したバーリング部に固定する。ビス３５の１本が摺動部材２６に設けた長孔３０を貫通してキャリア６に固定される。このビス３５には摺動部材２６との接触を滑らかにするため、小円筒をはめ込んである。
これにより、レバー部材２７の第２端部が移動してレバー部材２７が水平に回動すると、摺動部材２６は、ガイド片２２ａに前辺と後辺を案内されて、アクセス窓２３の左側辺に対して左右方向へ、つまり、ヘッドブロック１５に対して進退する方向で水平に直線移動する。
【００１７】
シャッター開放装置２５は、キャリア６の上壁２２に設けたほぼ１／４円弧状のガイド孔３６と上壁２２に軸３７で回動自在に取り付けたロックレバー３８および引き寄せバネ３９で構成されている。軸３７の上壁２２に対する取り付け構造はレバー部材２７の軸３２の場合と同じである。
ロックレバー３８の一端は円弧状ガイド孔３６を貫通した係合部材４０を備え、他端にはロック部材４１を有している。ロック部材４１は、スライドフレーム７における右側壁の前部と対応する（図５）。
キャリア６の後端開口部からディスクカートリッジ２を差し込むと、その先端は係合部材４０に衝突し、これを押しながら前進する。このとき、係合部材４０はディスクカートリッジ２の前辺に設けたシャッター２ａの右端部に当接し、また、係合部材４０は円弧状ガイド孔３６を移動するので、左方向へ変位し、ディスクカートリッジ２がキャリア６の前端に到達するとき、シャッター２ａは左側に移動して内部のディスク３をアクセス窓２３の位置に露出させる。
【００１８】
スライドフレーム７（図３）は、左右の両側壁４２，４３と上壁４４を有した前方および後方が開放された枠形である。上壁４４は後部の橋架部４４ａと両側壁４２，４３の上部に沿って前後に延びたガイド部４４ｂ、４４ｃであって、前方から後方へ大きく開放されている。橋架部４４ａの後辺にはイジェクトボタン４５が突出して形成されており、両側壁４２，４３にスライドガイド孔４６（図６，７）と上下方向の長孔４７を備えている。スライドガイド孔４６は、キャリア６の左右側辺に外方へ突出して設けた係合片２２ｂを係合する。上下方向の長孔４７は、リフト装置２４におけるレバー部材２７の第２端部に設けた係合部３４を係合する。スライドガイド孔４６は左右の側壁のそれぞれ前後位置に形成されており、それぞれが前方下方への傾斜孔４６ａとその上部の水平孔４６ｂとからなる。また、上下方向の長孔４７は、下側壁部を絞り加工により外側に曲げて突出部４８（図６の抜き出し斜視図）としてある。
【００１９】
カバー体８（図１）は、本体フレーム４に上方から被せて内部を覆うことができる大きさで、左右の側壁と上壁を備え、側壁に本体フレーム４との係合部を、また、上壁に各種のネジ止め用の孔およびイジェクト操作の邪魔にならないようにした切欠きを備えている。詳細な説明を省略する。
以上の部材は概略で次のように組み付ける。
本体フレーム４にディスク駆動モーター１２などの各部材を取り付け、キャリア６にリフト装置２４などの各部材を取り付けた後、スライドフレーム７とキャリア６を、キャリア６から側方に突出させた係合片２２ｂをスライドフレーム７のスライドガイド孔４６に、リフト装置２４におけるレバー部材２７の係合部３４をスライドフレーム７の上下方向の長孔４７に係合して取り付ける。このとき、係合部３４は、キャリア６の側片から外方へ張り出していて、キャリア６とスライドフレーム７を嵌め込む際にスライドフレーム７の左側壁４２と衝突する恐れがあるが、スライドフレーム７における上下方向の長孔４７の下側壁部が突出しており、この部分を通過させることで衝突の恐れはない。
スライドフレーム７は、その側壁４２，４３と水平なガイド部４４ｂ、４４ｃによってキャリア６に案内され、また、位置が規制される。
【００２０】
ついで、キャリア６とスライドフレーム７間に引きバネ４９を装着（図５）し、キャリア６に対してスライドフレーム７を常時後方へ付勢しておく。
【００２１】
そして、キャリア６と組み合わせたスライドフレーム７を本体フレーム４に上方から装着する。装着はスライドフレーム７の側壁に設けた係合片５０（図５）を本体フレーム４の側壁９，１０に設けた係合スリット５１ａ（図１）に係合し、ヘッド機構１３のアーム１６とキャリッジ１７の間にキャリア６の前辺部を差し込んで、アーム１６とキャリッジ１７をキャリア６のアクセス窓２３に上方と下方とから臨ませておく。このとき、上方に位置するアーム１６は先端部をリフト装置２４の摺動部材２６に受け止められた支持片１６ａによって、キャリッジ１７から間隔を保った上方位置に維持される。なお、キャリア６の左右側壁に突出して設けた係合ピン２２ｃ（図３）が本体フレーム４の係合縦溝５１ｂ（図１）に係合されている。係合縦溝５１ｂは上方が開放されている。
本体フレーム４に対するスライドフレーム７の装着は係合によるものであるから、着脱が可能である。しかし、本体フレーム４にカバー体８を装着すると上下方向の位置が定まり、上下方向にいわゆるガタはない。但し、イジェクトボタン４５を押すとスライドフレーム７は本体フレーム４内を前方へわずかに移動が可能であり、キャリア６に対して相対的に移動することができる。カバー体８を装着する前に、フロントパネル５を本体フレーム４に装着しておく。
【００２２】
ディスクカートリッジ２が差し込まれない状態では、キャリア６の右前部に設けたロック部材４１がスライドフレーム７の右側壁４３のロック受け部５２（図５）に衝突していて、スライドフレーム７はキャリア６に対して前方に位置し、引きバネ４９を伸張した状態で安定している。
すなわち、スライドフレーム７に装着されたキャリア６の係合片２２ｂは、スライドガイド孔４６の上方、水平孔４６ｂに位置し、その位置で安定している（図６）。同時に、スライドフレーム７の上下方向の長孔４７に係合しているリフト装置２４のレバー部材２７は、軸３２を中心に右回転した状態となっていて、摺動部材２６がヘッド機構１４側へ突出した状態となっている（図２）。
ディスクカートリッジ２を差し込むと、キャリア６内に進入したディスクカートリッジ２の前端部が、やがて、シャッター開放装置２５の係合部材４０に衝突してロックレバー３８を右に回転させる。これにより、係合部材４０は前方へ逃げながら左に変位してディスクカートリッジ２のシャッター２ａを開く。同時にロック部材４１が回動して、ロック受け部５２との衝突状態を解除する（ロック解除状態）。
【００２３】
すると、スライドフレーム７は引きバネ４９によって後方へ移動されるので、その際、キャリア６の係合片２２ｂは、スライドガイド孔４６の水平孔４６ｂから傾斜孔４６ａに移行してキャリア６が下方へ移動する。これによって、ディスクカートリッジ２が上下のヘッド１９、２０に対してセット位置となる。この状態とした後、ディスクカートリッジ２から手を離してもスライドフレーム７は後方へ移動した状態のままであり、また、ロックレバー３８は、ロック部材４１がスライドフレーム７の前端部側面に当たっているので、戻り方向に回転することはできず、シャッター２ａを開いたままに維持する。すなわち、ディスクカートリッジ２はセットした状態に維持される。セット状態のディスクカートリッジ２は、下面の四隅を本体フレーム４の底面から切り起こして形成した支持片上に受け止められ、データの記録／再生にもっとも適した高さと平面位置に安定した状態とされる。
なお、キャリア６のアクセス窓２３にはディスク３が露出しており、キャリア６が下方へ移動したとき下面がキャリッジ１７の下ヘッド２０に接する。
【００２４】
一方、スライドフレーム７が後方へ移動すると、キャリア６の上壁２２に設けられたリフト装置２４のレバー部材２７が、スライドフレーム７の移動で軸３２を中心に左へ回転するので、摺動部材２６が左に移動してヘッド機構１３から引き込まれる。このため、アーム１６の上ヘッド１９はバネ２１の付勢で下方に移動してアクセス窓２３に露出しているディスク３に接触する（図８）。
なお、ロック解除状態となること、摺動部材２６がヘッドブロック１６から退避すること及び上下のヘッド１９，２０がディスク３に接触することは、ほぼ同時に行われる。
これによって、ディスク３のセットが終了し、制御回路基板１４の制御部を通じてデータの記録／再生が行われる。所定位置へのアクセスにはステッピングモーター１８が駆動されて上下のヘッド１９，２０の位置を、ディスクの半径方向へ直線的に移動し、停止する。
【００２５】
ディスクカートリッジ２を取り出す時は、フロントパネル５から後方へ突出しているイジェクトボタン４５を前方へ押す。キャリア６は係合ピン２２ｃが本体フレーム４の係合縦溝５１ｂに係合していて前後方向には移動しないので、スライドフレーム７だけが前方へ移動し、ロック部材４１とスライドフレーム７の前端部側面との係合が外れる。すると、ロックレバー３８が引き寄せバネ３９で左に回転されてロック状態が解除される。同時にスライドフレーム７の前方移動によって、スライドガイド孔４６の傾斜壁がキャリア６の係合片２２ｂを押し上げて水平孔４６ｂに戻す。また、スライドフレーム７の前方移動は、リフト装置２４の上下方向の長孔４７に係合したレバー部材２７を右に回転するので、摺動部材２６が右に移動して先端部がアーム１６とキャリッジ１７の間に割り込ませ、アーム１６を下方から支持する。摺動部材２６は剛体で撓むことがなく、右縁は片刃状の誘導面に形成してあるのでアーム１６に接してこれを押し上げる作動がスムーズに、また、確実に行われる。
【００２６】
レバー部材２７の係合部３４はスライドフレーム７の移動につれて前後方向に移動すると共にスライドフレーム７に対して上下方向の変位もするので、スライドフレーム７との係合部である左側壁４２に設けた上下方向の長孔４７を上下方向に長くしてある。
なお、これら３つの作動、すなわち、ロック状態となること、スライドフレーム７の後方移動及び摺動部材２６によるアーム１６の支持動作は、ほぼ同時に起きて、リフト装置２４によってヘッドブロック１５の上ヘッド１９が下ヘッド２０から離隔した位置に維持されるとともに、キャリア６は上方へ移動し、また、キャリア６内部のディスクカートリッジ２が引き寄せバネ３９の付勢で、係合部材４０に押されてフロントパネル５から後方に押し出される。
【００２７】
以上、１つの実施形態について説明したが、ヘッドブロック１５に対して進退移動する摺動部材２６を備え、ディスクカートリッジ２の出し入れに応じて摺動部材２６が進退する構造とすることが重要であって、例えば、本体フレーム４、キャリア６およびスライドフレーム７の構造およびこれらの組み付け構造は従来周知のものを、若干の改良でそのまま用いることができる。
【００２８】
【発明の効果】
請求項１に記載の構成によれば、リフト装置は進退移動する摺動部材によってアームを持ち上げ支持する構造なので、摺動部材を厚手の平板にするなど、構造自体を耐衝撃性の高いものにすることができる。また、摺動部材の先端部をアームの側方から十分に挿し込んだ状態でアームを支持することができるので、支持状態の維持が確実であり、振動や衝撃によって外れてしまうことがない。摺動部材の進退量を細かく調整する必要はないので、構造を簡単にすることができ、組立作業も容易である。さらに、リフト装置を上下方向の寸法が小さい平らな構造にすることができるので、キャリア上にリフト装置を取り付けてもフロッピーディスク装置の厚さ（高さ）が大きくならない。
また、キャリアにリフト装置を取り付けているので、リフト装置をヘッドブロックの近くに配置することができ、アームを支持するリフト装置の作動を小さな動きで確実なものとすることができる。また、設計上あるいは組み立て作業において、リフト装置が本体フレーム内へ他の部材を配置する際の邪魔になることが少ない。
【００２９】
請求項２に記載の構成によれば、キャリアとスライドフレームの相対的な動きでリフト装置を駆動し、摺動板を進退させるので、リフト装置を駆動するためのソレノイドやモーターなどを特別に配置する必要がなく、構造が簡素になり、製品コストを低減することができる。キャリアとスライドフレームの相対的な動きはディスクの出し入れの際に必ず発生するので、リフト装置の駆動が確実であり、また、誤作動をすることがない。
請求項３に記載の構成によれば、リフト装置の連動機構をレバー部材とし、これでキャリアとスライドフレームの相対的な動きを摺動部材の進退移動に変換しているので、連動機構としての構造がもっとも簡単で頑丈である。また、レバー部材はキャリアの上面と平行に水平移動する構造とできるので、フロッピーディスク装置の上下寸法を小さく抑制することができる。
【００３０】
請求項４に記載の構成によれば、前後方向に変位するスライドフレームと上下方向に変位するキャリアの相対的な動きを、レバー部材の回転に転換する構造として、スライドフレームの側壁に、レバー部材の係合部を係止する上下方向に長い長孔を設けるだけであり、構造が簡単で、かつ、作動が確実である。
請求項５に記載の構成によれば、スライドフレームにキャリアを組み付けるとき、キャリアの側辺から突出しているレバー部材の第２の端部を、スライドフレーム側の長孔へ、この長孔の外側に曲げて突出部とした下側壁部を通過させることにより、簡単に係合させることができるので、組み立てやすく、組立能率を向上させることができる。
【図面の簡単な説明】
【図１】
ディスクカートリッジとフロッピーディスク装置の全体を分解して示す斜視図
【図２】
要部を示す斜視図
【図３】
キャリアとスライドフレームの斜視図
【図４】
キャリアの平面図
【図５】
キャリアとスライドフレームを組んだ平面図
【図６】
キャリアとスライドフレームを組んだ左側面図
【図７】
キャリアとスライドフレームを組んだ左側面図（セット位置）
【図８】
作動状態を示す要部の斜視図
【符号の説明】
１  フロッピーディスク装置
２  ディスクカートリッジ
２ａ  シャッター
３  ディスク
４  本体フレーム
５  フロントパネル
６  キャリア
７  スライドフレーム
８  カバー体
９  左側壁
１０  右側壁
１１  前壁
１２  ディスク駆動モーター
１３  ヘッド機構
１４  制御回路基板
１５  ヘッドブロック
１６  アーム
１６ａ  支持片
１７  キャリッジ
１８  ステッピングモーター
１９  上ヘッド
２０  下ヘッド
２１  バネ
２２  上壁
２２ａ  ガイド片
２２ｂ  係合片
２２ｃ  係合ピン
２３  アクセス窓
２４  リフト装置
２５  シャッター開放装置
２６  摺動部材
２７  レバー部材
２８  ガイドカバー
２９  誘導面
３０  長孔
３１  ピン
３２  軸
３３  長孔
３４  係合部
３５  固定用ビス
３６  円弧状ガイド孔
３７  軸
３８  ロックレバー
３９  引き寄せバネ
４０  係合部材
４１  ロック部材
４２  左側壁
４３  右側壁
４４  上壁
４４ａ  橋架部
４４ｂ，４４ｃ  ガイド部
４５  イジェクトボタン
４６  スライドガイド孔
４６ａ  傾斜孔
４６ｂ  水平孔
４７  上下方向の長孔
４８  突出部
４９  引きバネ
５０  係合片
５１ａ  係合スリット
５１ｂ  係合縦溝
５２  ロック受け部